(57)【要約】少なくとも暗号鍵（４２４）が電磁光学的に読み取り可能な状態で予め記録されたシール（４２）が、当該記録媒体（１００）の所定位置に貼り付けられている。そして、当該記録媒体は、そのシールに記録された暗号鍵に少なくとも基づいて暗号化された暗号化データを含むデータを電磁光学的に読み取り可能な状態で記録するための記録領域（４３）を備える。
2008096420.tif 000002
【特許請求の範囲】
【請求項１】
少なくとも暗号鍵が電磁光学的に読み取り可能な状態で予め記録されており、かつ、当該記録媒体の所定位置に貼り付けられたシールと、
前記記録された暗号鍵に少なくとも基づいて暗号化された暗号化データを含むデータを電磁光学的に読み取り可能な状態で記録するための記録領域と
を備えることを特徴とする記録媒体。
【請求項２】
当該記録媒体はディスク状であり、
前記シールはリング状又は該リングの一部である円弧状であり、
前記シールに係るリングの中心は前記ディスク状の記録媒体の中心と一致し、
前記シールに係るリングの外径は前記ディスク状の記録媒体の半径よりも小さい
ことを特徴とする請求の範囲第１項に記載の記録媒体。
【請求項３】
前記貼り付けられたシールは、
当該シールの読み取り開始位置を示すスタート検出部と、
後続する情報の読み取りタイミングの同期をとるためのタイミング同期部と、
当該記録媒体の円周方向における当該シールの基準位置を示す基準位置部と、
前記暗号鍵とを
読み取り方向に沿って上記順序に含んでなる
ことを特徴とする請求の範囲第２項に記載の記録媒体。
【請求項４】
前記基準位置部から円周方向に所定角度ずらした位置に角度管理用のマークが記録されることを特徴とする請求の範囲第２項に記載の記録媒体。
【請求項５】
前記所定角度は、前記角度管理用のマークが記録される際に、記録媒体固有の情報に少なくとも基づいて導出される
ことを特徴とする請求の範囲第４項に記載の記録媒体。
【請求項６】
前記貼り付けられたシールは、一度剥がされると部分的に分離する
ことを特徴とする請求の範囲第１項に記載の記録媒体。
【請求項７】
前記ディスク状の記録媒体において前記記録領域もリング状であり、
前記リング状の記録領域の中心は前記ディスク状の記録媒体の中心と一致し、
当該記録媒体は、記録又は再生の際に必要となる固有情報が記録された情報領域を前記貼り付けられたシールの内側に更に備える
ことを特徴とする請求の範囲第２項に記載の記録媒体。
【請求項８】
前記シールに係るリングの内径は前記リング状の記録領域の内径よりも小さい
ことを特徴とする請求の範囲第７項に記載の記録媒体。
【請求項９】
前記シールに係るリングの内径は前記リング状の記録領域の内径よりも大きく、
前記シールに係るリングの外径は前記リング状の記録領域の外径よりも小さい
ことを特徴とする請求の範囲第７項に記載の記録媒体。
【請求項１０】
前記シールが円弧状の場合には、該円弧状のシール複数枚が、前記ディスク状の記録媒体の同一半径位置に、夫々配置される
ことを特徴とする請求の範囲第２項に記載の記録媒体。
【請求項１１】
前記暗号鍵は、前記円弧状のシール複数枚のうち何れか1枚に記録されている
ことを特徴とする請求の範囲第１０項に記載の記録媒体。
【請求項１２】
前記暗号鍵は、前記円弧状のシール複数枚の各々に分割して記録されている
ことを特徴とする請求の範囲第１０項に記載の記録媒体。
【請求項１３】
請求の範囲第１０項から第１２項の何れか一項に記載の円弧状のシールをディスク状の前記記録媒体に貼り付けるための貼付キットであって、
短冊状の透明な台紙と、
前記台紙に前記暗号鍵が記録されている一面で貼り付けられており、かつ他面が前記記録媒体との貼付面である前記円弧状のシールと、
前記貼付面を保護するための保護シートと、
前記記録媒体に設けられたセンターホールと同径である中心合わせ用の台紙穴と、
前記複数枚のシール夫々の貼付角度を調整するために前記台紙穴の周囲に設けられた角度マークと
を備えることを特徴とする貼付キット。
【請求項１４】
請求の範囲第１項から第１２項のうち何れか一項に記載の記録媒体に対してデータを記録するための記録装置であって、
前記記録媒体に貼り付けられたシールに記録されている暗号鍵を電磁光学的に読み取る読取手段と、
該読み取られた暗号鍵に少なくとも基づいて記録対象データを暗号化する暗号化手段と、
該暗号化された記録対象データを前記記録媒体の記録領域に記録する記録手段と
を備えることを特徴とする記録装置。
【請求項１５】
請求の範囲第１項から第１２項のうち何れか一項に記載の記録媒体に記録された暗号化データを再生するための再生装置であって、
前記記録媒体に貼り付けられたシールに記録されている暗号鍵および前記記録された暗号化データを夫々電磁光学的に読み取る読取手段と、
該読み取られた暗号鍵に少なくとも基づいて、前記読み取られた暗号化データを復号化する復号化手段と
を備えることを特徴とする再生装置。
【発明の詳細な説明】
【技術分野】
【０００１】
本発明は、例えば光ディスクのようなディスク状の記録媒体において、記録されたコンテンツを比較的手軽に保護可能な記録媒体、該記録媒体に暗号鍵シールを貼り付けるための貼付キット、並びにその記録装置および再生装置の技術分野に関する。
【背景技術】
【０００２】
この種の記録媒体に記録されたコンテンツを保護するために、暗号鍵が利用されている。例えば、特許文献１には、記録媒体固有の識別情報を暗号鍵として用いて記録内容を暗号化することによって、不正コピーを防止する技術が開示されている。この技術によると、書き換えが不可能な再生専用のディスク識別情報を鍵として暗号化されたデータが記録媒体上のユーザデータ領域に記録されている。このため、利用者がユーザデータ領域を他の記録媒体にコピーしたとしても、記録媒体識別情報をコピーすることができず、データの正しい復号並びに再生が不可能とすることができる。【０００３】
【特許文献１】特開２００１−１８９０１５号公報
【発明の開示】
【発明が解決しようとする課題】
【０００４】
しかしながら、例えば前述の特許文献１に開示されている技術には、以下のような問題が生じ得る。即ち、すなわち、記録媒体の不正コピーは困難になるものの、この記録媒体そのものを再生すること自体は比較的容易であるという問題がある。それゆえ、記録媒体そのものを他人に再生させたくないような場合、例えば記録媒体を廃棄する場合には、再生不能となるまで破壊する必要があり、利用者にとっては大変な労力となる。【０００５】
本発明は、例えば上述した問題点に鑑みてなされたものであり、記録されたコンテンツを比較的手軽に保護可能な記録媒体、該記録媒体に暗号鍵シールを貼り付けるための貼付キット、並びにその記録装置および再生装置を提供することを課題とする。
【課題を解決するための手段】
【０００６】
本発明に係る記録媒体は、上述の課題を解決するために、少なくとも暗号鍵が電磁光学的に読み取り可能な状態で予め記録されており、かつ、当該記録媒体の所定位置に貼り付けられたシールと、前記記録された暗号鍵に少なくとも基づいて暗号化された暗号化データを含むデータを電磁光学的に読み取り可能な状態で記録するための記録領域とを備える。【０００７】
本発明によれば、少なくとも暗号鍵が電磁光学的に読み取り可能な状態で予め記録されたシールが、当該記録媒体の所定位置に貼り付けられている。ここで言う「電磁光学的に読み取り可能」とは、電気・磁気・光の何れかの物理現象を利用して読み取り可能であるという意味である。例えば、暗号鍵はバーコードのような模様として記録されており、照射される光の戻り光の光量に基づいてその模様に対応した情報が読み取り可能であってもよい。あるいは、ＩＣチップのように電磁気的に読み取り可能であってもよい。あるいは、暗号鍵は磁界の方向として記録されており、磁気ディスクの読み取り原理を利用して読み取り可能であってもよい。なお、上記物理現象を利用する場合には、再生装置が対応する限りにおいて、それらの強度のみならず、振幅や位相を利用してもよい。例えば光を利用する場合には、暗号鍵の模様はモノクロ色に限られず、カラーやホログラフィーの原理によってシールに記録されていてもよい。「当該記録媒体の所定位置」とは、記録媒体の記録面若しくは反対側のレーベル面の何れかの位置であればよいが、好ましくは、一般的な光学式情報記録再生装置に備わるピックアップの可動範囲内である。また、シールの厚みはピックアップのフォーカス機構によって対応可能な範囲内であることが互換性の観点から好ましい。【０００８】
そして、記録領域には、上述のように記録された暗号鍵に少なくとも基づいて暗号化された暗号化データを含むデータが、電磁光学的な状態で記録される。例えば、記録領域には、スパイラル状或いは同心円状に、グルーブトラック及びランドトラック等が設けられている。ここで、「暗号化データを含むデータ」は、記録領域には、暗号化データのみならず非暗号化データが記録されてもよいということを意味する。このデータの種類は特に問わない。すなわち、動画像データ、音楽データ、文書データ、プログラム等の各種コンテンツが含まれる。「記録された暗号鍵に少なくとも基づいて暗号化された」は、シールに記録されている暗号鍵以外の他の要素もからめて暗号化してよいこと、あるいはシールに記録されている暗号鍵を直接の暗号化用の鍵とせず、暗号化用の鍵の在りかを示す間接的な利用も含むことを意味する。【０００９】
ここで、上記課題において指摘したように、記録媒体そのものを他人に再生させたくないような場合、例えば記録媒体を廃棄する場合、一般的には、その記録媒体を再生不能となるまで破壊する必要があり、利用者にとっては大変な労力となる。【００１０】
然るに、本発明に係る記録媒体によると、記録領域に記録される暗号化データは、シールに記録されている暗号鍵に少なくとも基づいて暗号化されているので、このシールを剥がしてしまえば、暗号化データの復号化はできなくなる。【００１１】
したがって、記録領域に記録されたコンテンツを比較的手軽に保護可能であり、実用上非常に便利である。【００１２】
本発明に係る記録媒体の一態様では、前記記録媒体はディスク状（例えば、ＣＤ、ＤＶＤあるいはＢＤのような形状）であり、前記シールはリング状（言い換えれば、ドーナツ状）又は該リングの一部である円弧状であり（言い換えれば、シールは基本的に円弧状であり、中心角が３６０度という特殊なケースがリング状に相当する。）、前記シールに係るリングの中心は前記ディスク状の記録媒体の中心と一致し（ここで言う「一致」とは、厳密な意味での一致のみならず、記録装置や再生装置が対応可能な限りにおいて若干のマージンが許容される。）、前記シールに係るリングの外径は前記ディスク状の記録媒体の半径よりも小さい（すなわち、記録媒体の記録面内にシールが収まる）。【００１３】
この態様によれば、通常の記録媒体の読み取り方法と同様に、一致する中心を軸として、スピンドルのような回転手段によって記録媒体を回転させながら、シールに記録された暗号鍵を読み取り可能である。なお、シールがリング状である場合には、ピックアップが半径方向に移動するときに必ずシールをよぎることになるので、専用装置でなければフォーカスを維持できないというメリットがある。また、円弧状の場合にもある程度の中心角・枚数・幅・配置であれば同様に、フォーカスの維持を阻むことが可能である。逆に言えば、シールが円弧状の場合には、中心角・枚数・幅・配置等を、フォーカスの維持を阻むことが可能な値として実験・経験・シミュレーションによって特定するとよい。【００１４】
このようにシールがリング状又は該リングの一部である円弧状である態様では、前記リング状のシールには、当該シールの読み取り開始位置を示すスタート検出部と、後続する情報の読み取りタイミングの同期をとるためのタイミング同期部と、当該記録媒体の円周方向における当該シールの基準位置を示す基準位置部と、前記暗号鍵とを読み取り方向に沿って上記順序に含んでなるとよい。【００１５】
この態様によれば、記録媒体を回転させても、暗号鍵を正確に読み取り可能となる。【００１６】
あるいは、このようにシールがリング状又は該リングの一部である円弧状である態様では、前記基準位置部から円周方向に所定角度ずらした位置に角度管理用のマークが記録されるとよい。【００１７】
この態様によれば、角度管理用のマークとシールの基準位置部とのなす角が所定角度であるか否かを確認することで、シールが一度剥がされて再度貼り付けられたものであるか否か、言い換えれば不正アクセスや不正コピーの可能性を確認できる。これに従い、再生許否を判断とすることで、記録されたデータの保護が堅くなる。【００１８】
このように、角度管理用のマークが記録される態様では、前記所定角度は、前記角度管理用のマークが記録される際に、記録媒体固有の識別情報に少なくとも基づいて導出されるとよい。【００１９】
この態様によれば、所定角度が記録媒体固有の値となる。それゆえ、仮に基準位置部と角度管理用のマークとの角度を真似て複製を作ったとしても、元の記録媒体と複製された記録媒体とでは固有情報が異なるために複製ディスクにおいて正しい角度ではなくなる。従って、不正アクセスや不正コピーの可能性を確認する際の信頼性が向上する。なお、記録媒体固有の識別情報が予め記録媒体に設けられていない場合には、これに代えて、暗号鍵を用いて前記所定角度を導出してもよい。この場合、基準位置部のすぐ横に角度管理用のマークをつけることに比べると複製がより困難になる。【００２０】
本発明に係る記録媒体の他の態様では、前記貼り付けられたシールは、一度剥がされると部分的に分離する。【００２１】
この態様によれば、シールを一度剥がして元に戻しても、剥がされたことが視覚的に判別可能となる。【００２２】
上述のようにシールがリング状又は該リングの一部である円弧状である態様では、前記ディスク状の記録媒体において前記記録領域もリング状であり、前記リング状の記録領域の中心は前記ディスク状の記録媒体の中心と一致し、当該記録媒体は、記録又は再生の際に必要となる固有情報が記録された情報領域を前記貼り付けられたシールの内側に更に備える。【００２３】
この態様によれば、記録又は再生に先立ち、情報領域に製造時に予め記録された固有情報が読み取られ、この情報に基づいてセットアップが行われる。【００２４】
前記情報領域を更に備える態様では、前記シールに係るリングの内径は前記リング状の記録領域の内径よりも小さくするとよい。【００２５】
この態様によれば、記録又は再生の際に固有情報を読み出すために記録領域から情報領域へと移動するために、シールを跨ぐことになる。したがって、このリング状のシールの厚みに対応したフォーカシングが可能な専用の記録又は再生装置でなければ記録又は再生が不能な記録媒体が得られる。【００２６】
あるいは、前記情報領域を更に備える態様では、前記シールに係るリングの内径は前記リング状の記録領域の内径よりも大きく、前記シールに係るリングの外径は前記リング状の記録領域の外径よりも小さくするとよい。【００２７】
この態様によれば、記録領域がシールによって２分されるので、例えば内周側の記録領域は非暗号化データを記録する領域とし、外周側の記録領域は暗号化データを記録する領域として利用できる。このような構成のもと、ホストに対して２枚の記録媒体があるように見せることが可能である。【００２８】
前記シールが円弧状の場合には、該円弧状のシール複数枚が、前記ディスク状の記録媒体の同一半径位置に、夫々配置されるとよい。【００２９】
この態様によれば、シールが円弧状であるためリング状に比べてスペースを節約しながらも、複数枚（好ましくは３枚以上）をバランス良く配置可能である。なお、この場合には、角度管理用のマークと複数枚のシールのうち全て又は一部の基準位置部とのなす角が夫々適切であるか否かを再生時や記録時に確認することで、不正アクセスや不正コピーの可能性を確認できる。【００３０】
このように円弧状のシール複数枚が配置された態様では、前記暗号鍵は、前記円弧状のシール複数枚のうち何れか1枚に記録されるとよい。【００３１】
この態様によれば、同じ暗号鍵が全てのシールに記録されている場合に比べてセキュリティが向上する。【００３２】
あるいは、このように円弧状のシール複数枚が配置された態様では、前記暗号鍵は、前記円弧状のシール複数枚の各々に分割して記録されてもよい。【００３３】
この態様によれば、復号化時には、分割されて記録されている暗号鍵を夫々読み取って再構築する必要がある。したがって、暗号鍵がシール一枚に記録されている場合に比べて一段とセキュリティが向上する。【００３４】
本発明の貼付キットは、請求の範囲第１０項から第１２項の何れか一項に記載の円弧状のシールをディスク状の前記記録媒体に貼り付けるための貼付キットであって、短冊状の透明な台紙と、前記台紙に前記暗号鍵が記録されている一面で貼り付けられており、かつ他面が前記記録媒体との貼付面である前記円弧状のシールと、前記貼付面を保護するための保護シートと、前記記録媒体に設けられたセンターホールと同径である中心合わせ用の台紙穴と、前記複数枚のシール夫々の貼付角度を調整するために前記台紙穴の周囲に設けられた角度マークとを備える。【００３５】
この態様によれば、先ず、記録媒体に設けられたセンターホールをディスクケースの突起に嵌める。その上から、複数枚のシールに対応する複数の貼付キットの台紙穴を同様に嵌める。複数の貼付キット夫々の向きは、例えば６０度刻みに設けられた角度マークによってディスクケースの突起回りに調整される。こうして向きが調整し終わると、個々のキットの保護シートが剥がされて、個々の円弧状のシールの貼付面が記録媒体の所望の場所に貼り付けられる。このようにして、複数枚の円弧状のシールが以下のようにして好適に記録媒体に貼り付け可能となる。【００３６】
本発明の記録装置は上記課題を解決するために、請求の範囲第１項から第１２項のうち何れか一項に記載の記録媒体に対してデータを記録するための記録装置であって、前記記録媒体に貼り付けられたシールに記録されている暗号鍵を電磁光学的に読み取る読取手段と、該読み取られた暗号鍵に少なくとも基づいて記録対象データを暗号化する暗号化手段と、該暗号化された記録対象データを前記記録媒体の記録領域に記録する記録手段とを備える。【００３７】
本発明の記録装置によれば、上述した本発明の記録媒体に対して好適にデータを記録可能である。【００３８】
尚、本発明の記録装置においても、上述した本発明の記録媒体における各種態様に対応可能である。具体的に例えば、シールの厚みに応じたフォーカシングや、角度管理用のマークとシールの基準位置部とのなす角が所定角度であるか否かの確認、シールを用いない場合の記録アドレスを記録領域に対応させる変換を行いながらの記録が可能である。【００３９】
本発明の再生装置は上記課題を解決するために、請求の範囲第１項から第１２項のうち何れか一項に記載の記録媒体に記録された暗号化データを再生するための再生装置であって、前記記録媒体に貼り付けられたシールに記録されている暗号鍵および前記記録された暗号化データを夫々電磁光学的に読み取る読取手段と、該読み取られた暗号鍵に少なくとも基づいて、前記読み取られた暗号化データを復号化する復号化手段とを備える。【００４０】
本発明の再生装置によれば、上述した本発明の記録媒体に記録された暗号化データを好適に再生可能である。【００４１】
尚、本発明の再生装置においても、上述した本発明の記録媒体における各種態様に対応可能である。具体的に例えば、シールの厚みに応じたフォーカシングや、角度管理用のマークとシールの基準位置部とのなす角が所定角度であるか否かの確認、ホスト向けアドレスを適宜調整しながらの再生が可能である。【００４２】
以上、説明したように、本発明の記録媒体によれば、シール及び記録領域を備えるので、記録領域に記録されたコンテンツを比較的手軽に保護可能であり、実用上非常に便利である。本発明の貼付キットによれば、台紙、円弧状のシール、保護シート、台紙穴および角度マークを備えるので、前記記録媒体に暗号鍵シールを好適に貼り付け可能となる。本発明の記録装置によれば、読取手段、暗号化手段および記録手段を備えるので、上述した本発明の記録媒体に対して好適にデータを記録可能である。本発明の再生装置によれば、読取手段および復号化手段を備えるので、上述した本発明の記録媒体に記録された暗号化データを好適に再生可能である。【００４３】
本発明の作用及び他の利得は次に説明する実施例から明らかにされよう。
【図面の簡単な説明】
【００４４】
【図１】本発明の第１実施例に係る記録媒体１００の記録および再生が可能な記録再生装置１の基本構成を概念的に示すブロック図である。
【図２】第１実施例に係る記録媒体１００の基本構成を概念的に示す上面図及び断面図である。
【図３】第１実施例に係る記録媒体１００とその記録面に貼り付けられるシール４２を模式的に示す斜視図である。
【図４】第１実施例に係る記録媒体１００に貼り付けられたシール４２を部分的に剥がした様子を示す斜視図である。
【図５】第１実施例に係るシール４２に記録されるデータの基本構成を示す上面図である。
【図６】第１実施例に係る記録媒体１００に貼り付けられたシール４２と、シール角度管理マーク４５との位置関係を示す上面図である。
【図７】第１実施例に係る記録再生装置１のフォーカス状態を示す記録媒体１００の拡大断面図である。
【図８】第１実施例に係る記録再生装置１のレンズ高さとフォーカスエラー信号及び戻り光量の各々との関係を示す特性図である。
【図９】第１実施例に係る記録媒体１００を、一般的な記録再生装置によって記録又は再生しようとする場合の様子を記録媒体１００の断面図に合わせて経時的に示す概念図である。
【図１０】第１実施例に係る記録媒体１００を、第１実施例に係る記録再生装置１によって記録又は再生しようとする場合の様子を記録媒体１００の断面図に合わせて経時的に示す概念図である。
【図１１】第１実施例に係る記録再生装置１の動作を示すフローチャートである。
【図１２】第１実施例に係る記録媒体１００のデータ構成及び対応する各種アドレスを示す断面図である。
【図１３】第２実施例に係る記録媒体１００の基本構成を概念的に示す上面図及び断面図である。
【図１４】第２実施例の変形例に係る記録媒体１００の基本構成を概念的に示す上面図及び断面図である。
【図１５】第２実施例に係る記録媒体１００を、一般的な記録再生装置によって記録又は再生しようとする場合の様子を記録媒体１００の断面図に合わせて経時的に示す概念図である。
【図１６】第２実施例に係る記録媒体１００を、本実施例に係る記録再生装置１によって記録又は再生しようとする場合の様子を記録媒体１００の断面図に合わせて経時的に示す概念図である。
【図１７】第２実施例に係る記録再生装置１の動作を示すフローチャートである。
【図１８】第２実施例に係る記録媒体１００のデータ構成及び対応する各種アドレスを示す断面図である。
【図１９】第３実施例に係る記録媒体１００の基本構成を概念的に示す上面図及び断面図である。
【図２０】第３実施例に係る記録媒体１００とその記録面に貼り付けられる３枚のシールを模式的に示す斜視図である。
【図２１】第３実施例に係るシール貼付キット４２００の基本構成を概念的に示す断面図である。
【図２２】第３実施例に係るシール貼付キット４２００を用いて３枚の円弧状のシール４２０１を貼り付ける様子を概念的に示す上面図である。
【符号の説明】
【００４５】
１  記録再生装置
１１  スピンドルモータ
１２  光ピックアップユニット
１３  光ピックアップ
１４  スレッド
１５  ステッピングモータ
１６  ＯＰＵコントローラ
１７  ステッピングコントローラ
１８  スピンドルコントローラ
３１  システムコントローラ
３２  メモリ
４１１  記録パワー調整部
４１２  ディスク情報部
４２  シール
４４  シール角度管理部
４５  シール角度管理マーク
４３  暗号化データ記録部
４２０  シール分離部
４２１  スタート検出部
４２２  タイミング同期部
４２３  基準位置部
４２４  暗号鍵
４２５  中心ずれ検出ガイド
４６  記録層
４２６  シールデータ層
４２７  シール保護層
４６２  シール周辺アクセス不能部
４３０  通常ユーザデータ領域
４７  非暗号化データ記録部
４３１  第２暗号鍵記録部
４２００  シール貼付キット
４２０５  台紙
４２０１  円弧状のシール
４２０４  保護シート
４２０６  台紙穴
４２０７  角度マーク
【発明を実施するための最良の形態】
【００４６】
以下、本発明を実施するための最良の形態について実施例毎に順に図面に基づいて説明する。なお、本実施例は、記録媒体のみならず、貼付キット、記録装置および再生装置の各々の実施例を兼ねている。【００４７】
（１）第１実施例
第１実施例に係る記録媒体１００およびその記録および再生が可能な記録再生装置１の構成及び動作処理を図１から図１２を参照して説明する。【００４８】
（１−１）構成
図１は、本発明の第１実施例に係る記録媒体１００の記録および再生が可能な記録再生装置１の基本構成を概念的に示すブロック図である。【００４９】
図１において、記録再生装置１は、スピンドルモータ１１、光ピックアップ（ＯＰＵ：Optical Pick Up）ユニット１２、光ピックアップ１３、スレッド１４、ステッピングモータ１５、ＯＰＵコントローラ１６、ステッピングコントローラ１７、スピンドルコントローラ１８、システムコントローラ３１、およびメモリ３２を備え、記録媒体１００の記録および再生を行う。【００５０】
記録媒体１００は、本発明に係る「記録媒体」の一具体例であり、例えば光ディスクのような円盤状の記録媒体である。その具体的構成については、図２から図６を用いて後述する。【００５１】
スピンドルモータ１１は、記録媒体１００を回転および停止させるモータである。より詳細には、スピンドルモータ１１は、スピンドルコントローラ１８の制御下で、スピンドルサーボを受けつつ所定速度で記録媒体１００を回転および停止させるように構成されている。【００５２】
光ピックアップユニット１２は、光ピックアップ１３とスレッド１４とを保持する筐体である。【００５３】
スレッド１４は、ステッピングモータ１５による駆動力を受けて、光ピックアップユニット１２と共に記録媒体１００の半径方向に移動する。【００５４】
ステッピングモータ１５は、ステッピングコントローラ１７により印加される電圧に応じて、スレッド１４を記録媒体１００の半径方向に沿って移動させる。【００５５】
光ピックアップ１３は、記録媒体１００に対するデータの記録および再生を行うために、例えば図示しない半導体レーザ素子、コリメータレンズ、受光素子、対物レンズ、および対物レンズのレンズホルダを複数軸について揺動可能なアクチュエータ１３１等から構成される。光ピックアップ１３は、ステッピングモータ１５によるスレッド１４の移動により、記録媒体１００の半径方向における位置が調整され、更に光ピックアップユニット１２内に設けられるアクチュエータ１３１によりその位置が細かく調整される。このアクチュエータ１３１により、レーザ光ＬＢの照射位置を少なくともフォーカス方向に調整可能である。光ピックアップ１３は、記録媒体１００に対してレーザ光ＬＢを、再生時には読み取り光として第１のパワーで照射し、記録時には書き込み光として第２のパワーで且つ変調させながら照射する。【００５６】
ＯＰＵコントローラ１６は、例えばレーザダイオードドライバ等を備えており、光ピックアップ１３によるレーザ光ＬＢの照射動作を制御する。具体的には、ＯＰＵコントローラ１６は、システムコントローラ３１による制御の下に、ステッピングコントローラ１７、スピンドルコントローラ１８と協働しながら、レーザ光ＬＢのパワーや照射タイミング、照射位置等（言い換えれば、光ピックアップ１３の動作）を制御する。【００５７】
ステッピングコントローラ１７は、ステッピングモータ１５に印加するべき電圧を制御することで、ステッピングモータ１５によるスレッド１４の移動量を制御する。具体的には、ステッピングコントローラ１７は、システムコントローラ３１による制御の下に、ＯＰＵコントローラ１６やスピンドルコントローラ１８と協働しながら、スレッド１４の移動量（言い換えれば、ステッピングモータ１５の動作）を制御する。【００５８】
スピンドルコントローラ１８は、スピンドルモータ１１による記録媒体１００の回転を制御する。具体的には、スピンドルコントローラ１８は、システムコントローラ３１による制御の下に、ＯＰＵコントローラ１６やステッピングコントローラ１７と協働しながら、記録媒体１００の回転速度や回転角度等（言い換えれば、スピンドルモータ１１の動作）を制御する。【００５９】
システムコントローラ３１は、メモリ３２と共に、ＯＰＵコントローラ１６、ステッピングコントローラ１７、スピンドルコントローラ１８およびメモリ３２と、データバス２１を介して接続され、ＯＰＵコントローラ１６、ステッピングコントローラ１７およびスピンドルコントローラ１８の夫々に対して制御コマンドを出力することで、記録再生装置１全体の制御を行う。【００６０】
メモリ３２は、記録再生装置１が動作するためのプログラム（即ち、ファームウェア）が格納されるＲＯＭ領域と、記録再生装置１による動作中に用いられるデータが一時的に格納されるＲＡＭ領域などから構成される。【００６１】
続いて、上記のように構成された記録再生装置１によって記録および再生が可能な第１実施例に係る記録媒体１００について、図２から図６を参照しながら詳述する。【００６２】
図２は、第１実施例に係る記録媒体１００の基本構成を概念的に示す上面図及び断面図である。【００６３】
図２において、第１実施例に係る記録媒体１００は、例えばＤＶＤと同じく直径１２ｃｍ程度の円盤状をしている。記録媒体１００の記録面には、センターホールから外周側へと向かって、記録パワー調整部４１１、ディスク情報部４１２、シール４２、シール角度管理部４４、および暗号化データ記録部４３が夫々配置されている。【００６４】
記録パワー調整部４１１は、記録パワーを調整するためにテスト記録を行う調整用の領域である。言い換えれば、記録パワー調整部４１１は、レーザ光ＬＢの光強度を較正するＯＰＣ（Optimum Power Control）処理のための領域である。【００６５】
ディスク情報部４１２は、記録媒体１００の固有値、具体的には記録媒体１００の記録再生を行う際に必要となる固有のパラメータやフォーマット情報を格納する領域である。フォーマット情報としては具体的に例えば、適用される記録媒体の規格（例えば、ＤＶＤ−ＲＷ・ＤＶＤ−Ｒ・ＤＶＤ−ＲＡＭ等）およびパートバージョン、記録容量および最小読出レート、ディスク構造（１層ディスク・２層ディスク等）、記録密度、データエリアアロケーション、読出しパワー、ピークパワー、バイアスパワー、媒体の製造に関する諸情報等が記録される。【００６６】
シール４２は、記録媒体１００の記録面に貼り付けられているが、反対のレーベル面に貼り付けることも可能である。その場合には、レーベル面のシール４２を読み取り可能な手段が必要である。シール４２には、暗号化データ記録部４３に記録するためのデータを暗号化するためであり、かつ、記録された暗号化データを復号化するための暗号鍵４２４（図５参照）が記録されている。ここでいう暗号化の方式は、例えば、暗号化と復号化に同じ鍵を用いる秘密鍵暗号方式であるが、暗号鍵４２４を利用して暗号化及び復号化が行われるのであれば、この方式に限られない。また、ここで用いられる鍵は、シール４２から読み取られた暗号鍵４２４のみならず、これに加えて、ユーザーから入力された情報や記録媒体１００にあらかじめ記録されている情報を利用してもよい。シール４２は、このように暗号化のみならず復号化においても用いられるため、シール４２が剥がされた状態では、暗号化データ記録部４３に記録された暗号化データを復号化して再生することができない。それゆえ、このシール４２を剥がすだけで、記録された暗号化データを守りつつも、記録媒体１００を容易に廃棄できる。なお、シール４２はこのように重要な役割を担っているので、記録媒体１００との貼り付け面とは反対面に用意した台紙等で形状を維持することが望ましい。シール４２については、図３から図６を参照して後述する。【００６７】
シール角度管理部４４は、シール４２の貼り付け位置の正否を判定するための基準となるマークであるシール角度管理マーク４５をレーザ光ＬＢにより記録するための領域である。【００６８】
暗号化データ記録部４３は、シール４２から得られた暗号鍵４２４に基づいて暗号化された暗号化データが書き込まれる領域である。この領域には、CDやDVDなどの記録媒体と同様に、センターホールを中心にスパイラル状或いは同心円状に、グルーブトラック及びランドトラック等が設けられている。このトラック上には、暗号化データが例えばＥＣＣブロック単位に記録される。記録回数は、１回のみでもよいし複数回でもよい。記録方式は、光磁気方式、相変化方式等の各種記録方式を採用可能である。【００６９】
続いて、上述のシール４２について、図３から図６を参照して説明を加える。【００７０】
図３は、第１実施例に係る記録媒体１００とその記録面に貼り付けられるシール４２を模式的に示す斜視図である。【００７１】
図３に示すように、シール４２は、例えば内半径が25mm外半径が30mmのリング状であり、貼り付け後にシール４２の内周側と外周側の少なくとも一方に記録媒体１００の記録面が露出するように貼り付けられる。ただし、シールは必ずしもリング状である必要はなく、通常機器の連続したトレースを妨げる程度の大きさ及び形状であればよい。【００７２】
図４は、第１実施例に係る記録媒体１００に貼り付けられたシール４２を部分的に剥がした様子を示す斜視図である。【００７３】
図４に示すように、シール４２は、一度剥がされると、記録媒体１００の所有者がその事実を認識可能な接着面構造を有していることが好ましい。この構造によると、本実施例に係る記録媒体１００を通常ドライブでコピーするためには一度シール４２を剥がさないとならないため、不正コピーがなされたことが容易に認識可能となる。なお、このような特徴を有する接着面構造は、被着体から剥がした後に再度貼り付けることができないタイプであってもよいし、剥がした後に視覚上剥がされたことが判別できるようなタイプであってもよい。前者のタイプについては、例えば、シール４２の接着面が、一度剥がすと通常の圧力では接着しない接着剤により接着されることで実現される。後者のタイプについては、例えば、シール４２の接着面にシール分離部４２０を設け、シール分離部４２０の接着力をそれ以外の部分に比べて強力にしておくことで、シール４２が一度剥がされるとシール分離部４２０だけが接着したまま分離するようにすることで実現される。【００７４】
図５は、第１実施例に係るシール４２に記録されるデータの基本構成を示す上面図である。【００７５】
図５に示すように、シール４２は、当該シールの読み取り開始位置を示すスタート検出部４２１と、後続する情報の読み取りタイミングの同期をとるためのタイミング同期部４２２と、シール４２の基準位置を示す基準位置部４２３と、上述の暗号鍵４２４とを、読み取り方向に沿って上記順序に含んでなる。この構成のもと、暗号鍵４２４が、光ピックアップ１３によって、読み取り方向に沿って光学的に読み取られる。また、中心ずれ検出ガイド４２５に基づいて、シール４２の中心と記録媒体１００の中心とのずれが検出され、読み取られたデータが適宜補正される。【００７６】
図６は、第１実施例に係る記録媒体１００に貼り付けられたシール４２と、シール角度管理マーク４５との位置関係を示す上面図である。【００７７】
図６に示すように、記録媒体１００に貼り付けられたシール４２の基準位置部４２３と記録媒体１００の中心とを結んでなる直線と、シール角度管理マーク４５と記録媒体１００の中心とを結んでなる直線と、のなす角をθとする。ここで、なす角θは、当該記録媒体１００に固有の角度であり、例えばディスク情報部４１２に含まれるディスク固有の識別情報に基づいて、０度≦なす角θ＜３６０度の範囲内で定められる。シール角度管理マーク４５は、暗号化データ記録部４３に暗号化データが書き込まれる際に、記録媒体１００の中心を軸としてシール４２の基準位置部４２３からなす角θだけずらしたシール角度管理部４４上の領域に記録される。この際、シール４２の基準位置部４２３とディスク情報部４１２に含まれるディスク固有の識別情報とに基づいて上記なす角θが予測できるので、シール角度管理マーク４５が記録されているであろう場所も予測できる。逆に、記録媒体１００の再生時に、このように予測された場所にシール角度管理マーク４５が記録されていないことをもって、シール４２の位置に関する異常を検知できる。この場合、記録媒体１００の不正コピーを試みる者が、シール４２を一度剥がした後に、光学的コピー等によって複製したものを貼り付けたものの、シール角度管理マーク４５及びなす角θまでを考慮して貼り付け直せなかったとして、再生を中断することが可能である。【００７８】
図７は、第１実施例に係る記録再生装置１のフォーカス状態を示す記録媒体１００の拡大断面図である。【００７９】
図７に示すように、記録媒体１００の積層構造には記録層４６が含まれている。記録媒体１００の記録面にはシール４２が貼り付けられており、このシール４２は、シールデータ層４２６およびシール保護層４２７の積層構造を形成している。ここで、図７において（a）〜（ｃ）の３通りのフォーカス状態が示されている。これについて、左から順に説明する。図７（a）に示すように、レーザ光ＬＢの照射位置がシール４２の範囲外の場合、アクチュエータ１３１によりフォーカスが記録層４６に合わせられると、光学的な条件を満たすためフォーカスを維持することができる。他方で、図７（ｂ）に示すように、レーザ光ＬＢの照射位置がシール４２の範囲内の場合、シールデータ層４２６での反射等により光学的な条件を満たさないため記録層４６へのフォーカスを維持することができない。この場合、図７（ｃ）に示すように、アクチュエータ１３１により対物レンズを所定量引くことによって、フォーカスがシールデータ層４２６に合わせられると、シール４２が貼り付けられていても、光学的な条件を満たすためフォーカスを維持することができる。このようなフォーカスの維持の可否により、第１実施例に係る記録媒体１００は、一般的な記録再生装置によっては記録および再生を制限する一方で、第１実施例に係る記録再生装置１によっては記録および再生を許可する。【００８０】
このような構造であるので、レーザ光ＬＢの照射位置がシール４２の範囲内であるか又は範囲内であるかによって、対物レンズの光軸方向におけるレンズ高さと、フォーカスエラー信号及び戻り光量の各々との関係は異なる。この関係について、図８を参照して説明を加える。【００８１】
図８は、第１実施例に係る記録再生装置１のレンズ高さとフォーカスエラー信号及び戻り光量の各々との関係を示す特性図である（ａ：レーザ光ＬＢの照射位置がシール４２の範囲外の場合、ｂ：レーザ光ＬＢの照射位置がシール４２の範囲内の場合）。【００８２】
図８（ａ）に示すように、レーザ光ＬＢの照射位置がシール４２の範囲外の場合、レーザ光ＬＢはシール４２に反射されずに記録層４６に到達するため、フォーカスエラー信号および戻り光量は、記録層４６および記録媒体１００の表面の各々にレーザ光ＬＢが集光するようなレンズ高さのときに、相対的に振幅が広がる若しくはピーク値が上昇する（この特性を、フォーカスエラー信号および戻り光量の「Ｓ字」とも言う）。他方で、図８（ｂ）に示すように、レーザ光ＬＢの照射位置がシール４２の範囲内の場合、レーザ光ＬＢはシール４２に反射されて記録層４６に到達しないため、上述のようにはならない。その代わり、フォーカスエラー信号および戻り光量は、シールデータ層４２６およびシール４２の表面の各々にレーザ光ＬＢが集光するようなレンズ高さのときに、相対的に振幅が広がる若しくはピーク値が上昇する。【００８３】
このようにシール４２の有無に応じて、対物レンズのレンズ高さを変えた場合のフォーカスエラー信号および戻り光量の変化の仕方が違うので、逆に、この違いに基づいて、シール４２の有無の判断が可能となる。【００８４】
（１−２）動作
続いて、第１実施例に係る記録媒体１００を、一般的な記録再生装置および第１実施例に係る記録再生装置１の各々によって記録又は再生する際の動作を説明する。【００８５】
（１−２−１）一般的な記録再生装置の動作
図９は、第１実施例に係る記録媒体１００を、一般的な記録再生装置によって記録又は再生しようとする場合の様子を記録媒体１００の断面図に合わせて経時的に示す概念図である。【００８６】
図９に示す記録媒体１００の断面図のように、第１実施例に係る記録媒体１００の記録層４６は、センターホールから外周側へと向かって形成された記録パワー調整部４１１、ディスク情報部４１２、シール周辺アクセス不能部４６２、シール角度管理マーク４５、および暗号化データ記録部４３を含んでなる。ここで、シール周辺アクセス不能部４６２は、記録面上にシール４２が貼り付けられているために、記録層４６へのアクセスができない領域である。【００８７】
このような記録媒体１００を、一般的な記録再生装置によって記録又は再生しようとする場合、図９（ａ）から図９（ｃ）に示すような動作となる。先ず、図９（ａ）に示すように、レーザ光ＬＢの照射位置がシール周辺アクセス不能部４６２の範囲内に位置する状態で立ち上げ動作を行う場合、立ち上げ位置に異物たるシール４２が存在するため、立ち上げに失敗する。他方で、図９（ｂ）に示すように、レーザ光ＬＢの照射位置がシール周辺アクセス不能部４６２の範囲外に位置する状態で立ち上げ動作を行う場合、シール４２が存在しないので、立上げには成功する。しかし、この場合でも、内周側に記録されたディスク情報部４１２等のデータ読み出しを行うために、シール４２が貼り付けられた部分を跨ぐように光ピックアップ１３を移動させようとする。このとき、図９（ｃ）に示すように、シール４２により光学的な条件を満たさないので、フォーカスを維持することができず、アクセスに失敗する。以上により、第１実施例に係る記録媒体１００は、一般的な記録再生装置によっては記録および再生が不可能な記録媒体といえる。【００８８】
（１−２−２）第１実施例に係る記録再生装置１００の動作
第１実施例に係る記録再生装置１００の動作については、図１０から図１２を参照して説明をする。【００８９】
図１０は、第１実施例に係る記録媒体１００を、第１実施例に係る記録再生装置１によって記録又は再生しようとする場合の様子を記録媒体１００の断面図に合わせて経時的に示す概念図である。【００９０】
図１０（ａ）から図１０（ｈ）に示すように、第１実施例に係る記録再生装置１は、図９に示した一般的な記録再生装置とは異なり、第１実施例に係る記録媒体１００の記録および再生が可能である。図１０（ａ）から図１０（ｈ）については、図１１のフローチャートのステップに対応させて説明を加える。【００９１】
図１１は、第１実施例に係る記録再生装置１の動作を示すフローチャートである。【００９２】
図１１に示すように、第１実施例に係る記録再生装置１は、先ず光ピックアップ１３を、第１実施例に係る記録媒体１００の半径27mmの位置、つまりシール４２が存在する半径24〜35mmの範囲内に移動させる（ステップＳ１０１）。そして、図８を用いて説明した「Ｓ字」を確認する（ステップＳ１０２）。つまり、シール４２の有無を確認する。これにより、記録又は再生の対象となっている記録媒体が、一般的な記録媒体（つまりシール４２が貼り付けられていない記録媒体）であるか、それとも第１実施例に係る記録媒体１００であるかを判定する（ステップＳ１０３）。ここで、一般的な記録媒体であると判定される場合（ステップＳ１０３：ＹＥＳ）、特殊な調整は不要であり、通常の記録媒体としてセットアップが完了する（ステップＳ１３０）。他方で、第１実施例に係る記録媒体１００であると判定される場合（ステップＳ１０３：NO）、シールデータ層４２６にレーザ光ＬＢが集光するようなレンズ高さとなるように、アクチュエータ１３１により対物レンズを所定量引く（ステップＳ１０４）。この様子を、図１０（ｄ）に示す。これにより、フォーカスが維持される。そして、シール４２のシールデータ層４２６に記録されたコード（特に、暗号鍵４２４）が光ピックアップ１３によって読み取り可能か否かが判定される（ステップＳ１０５）。ここで、コードが読み取り可能な場合（ステップＳ１０５：ＹＥＳ）、読み取った暗号鍵４２４はメモリ３２に記憶され、光ピックアップ１３は更に内周側に移動する（ステップＳ１０６）。そして、通常のサーボ調整を行い（ステップＳ１０７）、次いでディスク情報部４１２からディスク固有値読み出す（ステップＳ１０８）。この様子を、図１０（ｅ）に示す。続いて、光ピックアップ１３は外周側のシール角度管理部４４の位置に移動し、シール角度管理マーク４５の有無を判定する（ステップＳ１０９）。この様子を、図１０（ｆ）に示す。ここで、既にシール角度管理マーク４５を有する場合（ステップＳ１０９：ＹＥＳ）、このシール角度管理マーク４５の位置が正常であるか否かが判定される（ステップＳ１１０）。具体的には、図６を参照して説明したように、シール角度管理マーク４５の位置が、予測されるなす角θを満たすものであるか否かが判定される。ここで、シール角度管理マーク４５の位置が正常であると判定される場合（ステップＳ１１０：ＹＥＳ）、暗号化データ記録部４３へのデータの読み書きが許可される（ステップＳ１１１）。この様子を、図１０（ｇ）に示す。なお、このときのパワーを決定するためのＯＰＣ処理は、記録パワー調整部４１１で行われる。この様子を、図１０（ｈ）に示す。他方で、シール角度管理マーク４５が無い場合（ステップＳ１０９：NO）、暗号化データ記録部４３は未記録であるか否かが判定される（ステップＳ１９０）。ここで、未記録である場合（ステップＳ１９０：ＹＥＳ）、暗号化データ記録部４３への書き込みが許可される（ステップＳ１１３）。他方で、コードが読み取り可能でない場合（ステップＳ１０５：NO）、あるいは、シール角度管理マーク４５の位置が正常でない場合（ステップＳ１１０：NO）、あるいは、シール角度管理マーク４５が無いにもかかわらず暗号化データ記���部４３が記録済みの場合（ステップＳ１９０：NO）、当該記録媒体１００は異常であるとして、つまりシール４２が不正コピーされたり一度剥がされたりしたおそれがあるとして、暗号化データ記録部４３へのアクセスが制限される（ステップＳ１１２）。このように、正当な記録および再生については認められる一方で、不正な記録および再生については認められない。【００９３】
したがって、第１実施例に係る記録媒体１００および第１実施例に係る記録再生装置１によると、シール４２を貼り付けるという比較的簡便な方法によって、暗号化データ記録部４３の情報を好適に保護可能である。加えて、その廃棄時にはシール４２を剥がすだけで記録済みの暗号化データを保護できるので、実践上非常に便利である。【００９４】
図１２は、第１実施例に係る記録媒体１００のデータ構成及び対応する各種アドレスを示す断面図である（ａ：シール４２が貼られていない場合のデータ構成、ｂ：シール４２が張られている場合のデータ構成、ｃ：記録媒体１００上でディスクアドレスとＲＦアドレスとを一致させる場合の暗号化データ記録部４３のＲＦアドレス及びホスト向けアドレス、ｄ：記録媒体１００上でディスクアドレスとＲＦアドレスとを一致させない場合の暗号済みデータ記録部４３のＲＦアドレス及びホスト向けアドレス）。【００９５】
図１２（ａ）に示すように、シール４２が貼り付けられていない一般的な記録媒体では、通常ユーザデータ領域４３０が、例えば30000ｈから260000ｈまでを占める。このとき、記録可能容量は、260000ｈ−30000ｈ＝230000ｈである。他方で、図１２（ｂ）に示すように、シール４２が貼り付けられている第１実施例に係る記録媒体１００では、暗号済みデータ記録部４３が、例えばB0000ｈから260000ｈまでを占める。このとき、記録可能容量は、260000ｈ−B0000ｈ＝1B0000ｈである。【００９６】
ここで、記録媒体のユーザデータ領域の開始位置を示すホスト（例えばコンピュータのように、記録再生装置１とデータのやり取りが可能な装置）向けのアドレスが、シール４２の有無によって変わってしまうことは、ホスト側にまで対応を要求することになるため好ましくない。つまり、既存のホスト側アプリケーションとの整合性をとる上では、記録媒体のユーザデータ領域の開始位置を示すホスト向けのアドレスは、シール４２の有無にかかわらず、30000ｈなら30000ｈで一定であることが好ましい。【００９７】
そこで、記録再生装置１は、暗号化データ記録部４３の開始位置に対応するホスト向けアドレスが、30000ｈになるように、各種アドレスを調整しつつ記録を行う。この際、図１２（ｃ）に示すように、記録媒体１００のディスクアドレス（例えば、ランドプリピットに基づいて物理的に決められたアドレス）と参照用のＲＦアドレスとを一致させておくとよい。そして、ホストにはディスクアドレスにオフセット（暗号化データ記録部４３の開始位置に相当）をつけて通知するとよい。具体的に例えば、ホスト向けアドレス＝ディスクアドレス−80000ｈとして通知するとよい。あるいは、図１２（ｄ）に示すように、ＲＦアドレスがそのままホスト向けアドレスとして使えるように記録しておき、ＲＦアドレスとディスクアドレスとの不一致は、記録再生装置１側で管理してもよい。具体的に例えば、ＲＦアドレス＝ディスクアドレス−80000ｈという変換式に基づいて両アドレスの管理が可能である。このようにして、いずれにせよ、暗号化データ記録部４３の開始位置に対応するホスト向けアドレスが30000ｈになるので、ホスト側に特に対応を迫ることなく、第１実施例に係る記録媒体１００を利用できる。【００９８】
（２）第２実施例
続いて、第２実施例に係る記録媒体１００およびその記録および再生が可能な記録再生装置１の構成及び動作処理を図１３から図１８を参照して説明する。なお、図１３から図１８において、上述の図１から図１２に示す構成又はステップと同様のものに関しては同一の符号を付し詳細な説明を適宜省略する。【００９９】
（２−１）構成
（２−１−１）第２実施例に係る記録媒体１００
図１３は、第２実施例に係る記録媒体１００の基本構成を概念的に示す上面図及び断面図である。【０１００】
図１３に示すように、第２実施例に係る記録媒体１００のシール４２の半径は、第１実施例に係るそれと比べて大きい。具体的に例えば、第２実施例に係る記録媒体１００のシール４２は、半径４０から４５ｍｍの領域を占める。そして、シール４２の内周側には従来方式の記録エリアとしてファイナライズされる非暗号化データ記録部４７が形成され、外周側には一般的なドライブではアクセスできない暗号化データ記録部４３が形成されている。これにより、暗号化する必要がないデータと暗号化したいデータとを一枚の記録媒体１００で同時に持ち運ぶことができる。【０１０１】
（２−１−２）第２実施例の変形例に係る記録媒体１００
続いて、図１３に示す第２実施例に係る記録媒体１００の変形例について、図１４を参照して説明する。【０１０２】
図１４は、第２実施例の変形例に係る記録媒体１００の基本構成を概念的に示す上面図及び断面図である。【０１０３】
図１４に示すように、第２実施例の変形例に係る記録媒体１００は、暗号化および復号化の鍵が記録された第２暗号鍵記録部４３１を更に備える。この第２暗号鍵記録部４３１は、記録層４６における所定領域を占めており、何れの個所にあるかが、シール４２の暗号鍵４２４に基づいて特定されるようになっている。当該実施例は、暗号化データの暗号化および復号化の鍵を必ずしもシール４２に直接記録しておく必要はないことを示す。【０１０４】
（２−２）動作
続いて、第２実施例に係る記録媒体１００を、一般的な記録再生装置および第２実施例に係る記録再生装置１の各々によって記録又は再生する際の動作を説明する。【０１０５】
（２−２−１）一般的な記録再生装置の動作
図１５は、第２実施例に係る記録媒体１００を、一般的な記録再生装置によって記録又は再生しようとする場合の様子を記録媒体１００の断面図に合わせて経時的に示す概念図である。【０１０６】
図１５に示す記録媒体１００の断面図のように、第２実施例に係る記録媒体１００の記録層４６は、センターホールから外周側へと向かって形成された記録パワー調整部４１１、ディスク情報部４１２、非暗号化データ記録部４７、シール周辺アクセス不能部４６２、シール角度管理マーク４５、および暗号化データ記録部４３を含んでなる。【０１０７】
このような記録媒体１００を、一般的な記録再生装置によって記録又は再生しようとする場合、図１５（ｉ）から図１５（ｋ）に示すような動作となる。すなわち、光ピックアップ１３が非暗号化データ記録部４７の範囲内に位置する状態で立ち上げ動作を行う場合、一般的な記録媒体のときと同様に、図１５（ｉ）に示すように、フォーカスINするとともにサーボゲインが調整され、図１５（ｊ）に示すように、ディスク情報部４１２の位置に移動してディスク情報を読み取り、図１５（ｋ）に示すように、非暗号化データ記録部４７の範囲内において、非暗号化データの記録および再生が可能となる。ただし、シール４２が半径４０から４５ｍｍの領域を占めるため、それよりも外周側の暗号化データ記録部４３にはアクセスできない。【０１０８】
（２−２−２）第２実施例に係る記録再生装置１００の動作
第２実施例に係る記録再生装置１００の動作については、図１６から図１８を参照して説明をする。【０１０９】
図１６は、第２実施例に係る記録媒体１００を、本実施例に係る記録再生装置１によって記録又は再生しようとする場合の様子を記録媒体１００の断面図に合わせて経時的に示す概念図である。【０１１０】
図１６（ｉ）から図１６（ｊ）に示すように、第２実施例に係る記録再生装置１は、図１５に示した一般的な記録再生装置とは異なり、第２実施例に係る記録媒体１００の非暗号化データ記録部４７のみならず、暗号化データ記録部４３に対しても記録および再生が可能である。図１６（ｉ）から図１６（ｊ）については、図１７のフローチャートのステップに対応させて説明を加える。【０１１１】
図１７は、第２実施例に係る記録再生装置１の動作を示すフローチャートである。【０１１２】
図１７に示すように、第２実施例に係る記録再生装置１は、先ず光ピックアップ１３を、第２実施例に係る記録媒体１００の半径２５mmの位置、つまり非暗号化データ記録部４７の範囲内に移動させる（ステップＳ２０１）。この様子を、図１６（ｉ）に示す。そして、通常のサーボ調整を行い（ステップＳ１０７）、次いでディスク情報部４１２からディスク固有値読み出す（ステップＳ１０８）。この様子を、図１６（ｊ）に示す。この時点で、図１６（ｋ）に示すように、非暗号化データ記録部４７の範囲内において、非暗号化データの記録および再生が可能となる。続いて、光ピックアップ１３を、第２実施例に係る記録媒体１００の半径４２mmの位置、つまりシール４２が存在する半径40〜45mmの範囲内に移動させる（ステップＳ２０４）。この途中で、具体的には半径40 mm付近で光ピックアップ１３のフォーカスが外れるか否か、つまりシール４２が存在するか否かが判定される（ステップＳ２０５）。この様子を、図１６（ｌ）に示す。ここで、フォーカスが外れなければ（ステップＳ２０５：ＮＯ）、シール４２が貼り付けられていないので、特殊な調整は不要であり、通常の記録媒体としてセットアップが完了する（ステップＳ１３０）。他方で、フォーカスが外れる場合には（ステップＳ２０５：ＹＥＳ）、シールデータ層４２１にレーザ光ＬＢが集光するようなレンズ高さとなるように、アクチュエータ１３１により対物レンズを所定量引く（ステップＳ１０４）。この様子を、図１６（ｍ）に示す。このように、第２実施例に係る記録再生装置１は、特定位置にシールがあることをもって、通常ではアクセスされない領域にデータが隠されていることを識別する。これにより、フォーカスが維持される。そして、シール４２のシールデータ層４２１に記録されたコード（特に、暗号鍵４２４）が光ピックアップ１３によって読み取り可能か否かが判定される（ステップＳ１０５）。続いて、光ピックアップ１３は外周側のシール角度管理部４４の位置に移動し、シール角度管理マーク４５の有無を判定する（ステップＳ１０９）。この様子を、図１６（ｎ）に示す。ここで、既にシール角度管理マーク４５を有する場合（ステップＳ１０９：ＹＥＳ）、このシール角度管理マーク４５の位置が正常であるか否かが判定される（ステップＳ１１０）。ここで、正常であると判定される場合（ステップＳ１１０：ＹＥＳ）、暗号化データ記録部４３へのデータの読み書きが許可される（ステップＳ１１１）。この様子を、図１６（ｏ）に示す。なお、このときのパワーを決定するためのＯＰＣ処理は、記録パワー調整部４１１で行われる。この様子を、図１６（ｐ）に示す。なお、シール角度管理マーク４５が無い場合（ステップＳ１０９：NO）、或いは、シール角度管理マーク４５の位置が正常でない場合（ステップＳ１１０：NO）の処理は、図１１の処理と同様である。このように、第２実施例に係る記録再生装置１は、第２実施例に係る記録媒体１００の非暗号化データ記録部４７のみならず、暗号化データ記録部４３に対しても記録および再生が可能である。【０１１３】
図１８は、第２実施例に係る記録媒体１００のデータ構成及び対応する各種アドレスを示す断面図である（ａ：シール４２が貼られていない場合のデータ構成、ｂ：シール４２が張られている場合のデータ構成、ｃ：非暗号化データ記録部４７のＲＦアドレス及びホスト向けアドレス、ｄ：暗号化データ記録部４３のＲＦアドレス及びホスト向けアドレス）。【０１１４】
図１８（ａ）は、図１２（ａ）と同様の図である。他方で、図１８（ｂ）は、図１２（ｂ）とはシール４２が貼り付けられている位置が異なり、非暗号化データ記録部４７が、例えば30000ｈからE0000ｈまでを占め、シール４２を跨ぎ、暗号済みデータ記録部４３が、例えば180000ｈから260000ｈまでを占める。【０１１５】
このとき、図１８（ｃ）及び図１８（ｄ）に示すように、非暗号化データ記録部４７及び暗号済みデータ記録部４３のホスト向けアドレスは夫々30000ｈから開始さることで、ホストに対して２枚の記録媒体に見せることが可能である。勿論、いずれか一方のデータ記録部しか見せないことも可能である。【０１１６】
（３）第３実施例
続いて、第３実施例に係る記録媒体１００の構成及びシールの貼り付け動作について図１９から図２２を参照して説明する。なお、図１９から図２２において、上述の図１から図１２に示す構成又はステップと同様のものに関しては同一の符号を付し詳細な説明を適宜省略する。【０１１７】
図１９は、第３実施例に係る記録媒体１００の基本構成を概念的に示す上面図及び断面図であり、図２０は、第３実施例に係る記録媒体１００とその記録面に貼り付けられる３枚のシールを模式的に示す斜視図である。【０１１８】
図１９および図２０に示すように、第３実施例に係る記録媒体１００には、上述の実施例とは異なり、円弧状のシール４２０１が貼り付けられている。この円弧状のシール４２０１によると、直径四方の面積が必要となるリング状のものに比べて占有空間が狭くてよいのでコストダウンが期待される。加えて、ユーザが自ら貼り付けるような場合において、図２１に示すような、本発明の「貼付キット」の一具体例である、シール貼付キット４２００を用いることによって正確な位置に貼り付けることが容易になる。この際、光ピックアップ１３の半径方向の移動速度に比べ、記録媒体１００の回転速度の方が速いため、円弧状のシール４２０１の中心角が所定角度以上であれば、リング状のシールと同様に、フォーカスの維持を阻むことが可能である。つまり、本実施例においても、図１１あるいは図１７に示す動作が可能となる。なお、ここでいう「所定角度」は、フォーカスの維持が阻まれる程度の中心角として、光ピックアップ１３の半径方向の移動速度、記録媒体１００の回転速度、貼り付け位置、貼り付け枚数等を勘案し、実験・経験あるいはシミュレーションによって特定可能である。【０１１９】
なお、円弧状のシール４２０１の貼り付け枚数が少なすぎるのはバランスの観点から好ましくない。例えば、貼り付け枚数が１枚の場合、対称性が悪いので、記録媒体１００のインバランスを増加させてしまい記録不良を招くおそれがある。貼り付け枚数が２枚の場合、記録媒体１００の中心に対して対照になるため対象性は改善されるが、２枚を結ぶ軸とそれに直行する軸とのバランスが悪くなる。それゆえに、貼り付け枚数は図１９および図２０に示すように３枚、もしくはそれ以上のほう望ましい。３枚の場合、記録媒体１００の中心の周りに１２０度ずつ等角度でずらして配置するとよい。【０１２０】
なお、円弧状のシール４２０１の貼り付け枚数が複数の場合、暗号鍵は複数枚にわたって構成してもよいし、一枚のシールにのみに入れて他のシールはダミーとしてもよい。ただし、同じシールを３枚と貼り付けることは、複製が容易になるため好ましくない。【０１２１】
続いて、円弧状のシール４２０１を後から貼り付ける際に利用するシール貼付キット４２００について図２１および図２２を参照して説明を加える。【０１２２】
図２１は、第３実施例に係るシール貼付キット４２００の基本構成を概念的に示す断面図であり、図２２は、第３実施例に係るシール貼付キット４２００を用いて３枚の円弧状のシール４２０１を貼り付ける様子を概念的に示す上面図である。【０１２３】
図２１（ａ）の上面図および図２１（ｂ）の側面図に示すように、第３実施例に係るシール貼付キット４２００は、短冊状の透明な台紙４２０５と、台紙４２０５に一面で貼り付けられており他の面が貼付面であるとともに暗号鍵が記録されている円弧状のシール４２０１と、円弧状のシール４２０１の貼付面を保護するための保護シート４２０４と、記録媒体１００のセンターホールと略同径である中心合わせ用の台紙穴４２０６と、貼付角度合わせ用の角度マーク４２０７とを備える。【０１２４】
より詳しくは、円弧状のシール４２０１と台紙穴４２０６との間隔は、記録媒体１００におけるシール貼り付け位置に対応している。円弧状のシール４２０１に記録されている暗号鍵は、暗号化のための鍵の全部でもよいし、その一部でもよい。一部の場合には、他のシールに残りが記録されており、記録再生装置１がそれらを全て読み出して再構築することになる。円弧状のシール４２０１の貼付面の接着力は、台紙４２０５側の面におけるそれよりも強い方が、図２１（ｃ）に示す動作上好ましい。つまり、円弧状のシール４２０１が記録再生装置１に貼り付けられた後は台紙４２０５から容易に剥がれる必要がある。保護シート４２０４は、円弧状のシール４２０１の周囲を取り囲むように台紙４２０５に貼り付けられている。円弧状のシール４２０１の貼付面と対向する保護シート４２０４の一面は、この貼付面とは接していないことが好ましい。角度マーク４２０７は、貼り付け枚数に依存し、３枚の場合には１８０度／３＝６０度毎に設けられる。【０１２５】
円弧状のシール４２０１は、このようなシール貼付キット４２００を用い、図２１（ｃ）に示す手順に従って貼り付け可能である。すなわち、先ず、ディスクケースの突起４２０８に、記録媒体１００のセンターホールおよび台紙穴４２０６を嵌める。この際、貼り付け枚数が３枚であれば、図２２に示すように、互いに１２０度ずつずれて配置されるように、角度マーク４２０７を合わせる。そして、再び図２１（ｃ）に戻り、台紙４２０５を反らした状態で保護シート４２０４を剥がす（ステップＳ１）。これにより、円弧状のシール４２０１の貼付面が現れる。そして、反らした台紙４２０５を元に戻す（ステップＳ２）。その結果、円弧状のシール４２０１を所望の位置に貼り付けることができる。【０１２６】
以上、本実施例によると、記録媒体１００の暗号化データ記録部４３に対しても記録および再生が可能である。そして、記録媒体１００の廃棄時にはシール４２あるいは円弧状のシール４２０１を剥がすという比較的容易な行為によって、記録された暗号化データを保護可能となる。【０１２７】
尚、本発明は、上述した実施例に限られるものではなく、請求の範囲及び明細書全体から読み取れる発明の要旨、或いは思想に反しない範囲で適宜変更可能であり、そのような変更を伴う記録媒体、該記録媒体に暗号鍵シールを貼り付けるための貼付キット、並びにその記録装置および再生装置もまた、本発明の技術的範囲に含まれるものである。
【産業上の利用可能性】
【０１２８】
本発明に係る記録媒体、該記録媒体に暗号鍵シールを貼り付けるための貼付キット、並びにその記録装置および再生装置は、例えば光ディスクのようなディスク状の記録媒体において、記録されたコンテンツを比較的手軽に保護可能な記録媒体、該記録媒体に暗号鍵シールを貼り付けるための貼付キット、並びにその記録装置および再生装置の技術分野に利用可能である。
【図１】
2008096420.tif 000003
【図２】
2008096420.tif 000004
【図３】
2008096420.tif 000005
【図４】
2008096420.tif 000006
【図５】
2008096420.tif 000007
【図６】
2008096420.tif 000008
【図７】
2008096420.tif 000009
【図８】
2008096420.tif 000010
【図９】
2008096420.tif 000011
【図１０】
2008096420.tif 000012
【図１１】
2008096420.tif 000013
【図１２】
2008096420.tif 000014
【図１３】
2008096420.tif 000015
【図１４】
2008096420.tif 000016
【図１５】
2008096420.tif 000017
【図１６】
2008096420.tif 000018
【図１７】
2008096420.tif 000019
【図１８】
2008096420.tif 000020
【図１９】
2008096420.tif 000021
【図２０】
2008096420.tif 000022
【図２１】
2008096420.tif 000023
【図２２】
2008096420.tif 000024
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
少なくとも暗号鍵が電磁光学的に読み取り可能な状態で予め記録されており、かつ、記録媒体の所定位置に貼り付けられたシールと、
前記記録された暗号鍵に少なくとも基づいて暗号化された暗号化データを含むデータを電磁光学的に読み取り可能な状態で記録するための記録領域と
を備えることを特徴とする記録媒体。
【請求項２】
当該記録媒体はディスク状であり、
前記シールはリング状又は該リングの一部である円弧状であり、
前記シールに係るリングの中心は前記ディスク状の記録媒体の中心と一致し、
前記シールに係るリングの外径は前記ディスク状の記録媒体の半径よりも小さい
ことを特徴とする請求の範囲第１項に記載の記録媒体。
【請求項３】
前記貼り付けられたシールは、
当該シールの読み取り開始位置を示すスタート検出部と、
後続する情報の読み取りタイミングの同期をとるためのタイミング同期部と、
当該記録媒体の円周方向における当該シールの基準位置を示す基準位置部と、
前記暗号鍵とを
読み取り方向に沿って上記順序に含んでなる
ことを特徴とする請求の範囲第２項に記載の記録媒体。
【請求項４】
前記ディスク状の記録媒体は、前記貼り付けられたシールの貼り付け位置の正否を判定するための基準となる角度管理用のマークが記録される角度管理領域を更に備え、
前記基準位置部及び前記ディスク状の記録媒体の中心を結んでなる直線と、前記角度管理用のマーク及び前記ディスク状の記録媒体の中心を結んでなる直線とが、相互に所定角度をなすように、前記角度管理領域に前記角度管理用のマークが記録される
ことを特徴とする請求の範囲第３項に記載の記録媒体。
【請求項５】
前記所定角度は、前記角度管理用のマークが記録される際に、記録媒体固有の情報に少なくとも基づいて導出される
ことを特徴とする請求の範囲第４項に記載の記録媒体。
【請求項６】
前記貼り付けられたシールは、
前記貼り付けられたシールの一部である本体部と、
前記貼り付けられたシールの他の部分である分離部と
を有し、
前記貼り付けられたシールが剥がされる際に、前記本体部及び前記分離部が相互に分離する
ことを特徴とする請求の範囲第１項に記載の記録媒体。
【請求項７】
前記ディスク状の記録媒体において前記記録領域もリング状であり、
前記リング状の記録領域の中心は前記ディスク状の記録媒体の中心と一致し、
当該記録媒体は、記録又は再生の際に必要となる固有情報が記録された情報領域を前記貼り付けられたシールの内側に更に備える
ことを特徴とする請求の範囲第２項に記載の記録媒体。
【請求項８】
前記シールに係るリングの内径は前記リング状の記録領域の内径よりも小さい
ことを特徴とする請求の範囲第７項に記載の記録媒体。
【請求項９】
前記シールに係るリングの内径は前記リング状の記録領域の内径よりも大きく、
前記シールに係るリングの外径は前記リング状の記録領域の外径よりも小さい
ことを特徴とする請求の範囲第７項に記載の記録媒体。
【請求項１０】
前記シールが円弧状の場合には、該円弧状のシール複数枚が、前記ディスク状の記録媒体の同一半径位置に、夫々配置される
ことを特徴とする請求の範囲第２項に記載の記録媒体。
【請求項１１】
前記暗号鍵は、前記円弧状のシール複数枚のうち何れか１枚に記録されている
ことを特徴とする請求の範囲第１０項に記載の記録媒体。
【請求項１２】
前記暗号鍵は、前記円弧状のシール複数枚の各々に分割して記録されている
ことを特徴とする請求の範囲第１０項に記載の記録媒体。
【請求項１３】
請求の範囲第１０項から第１２項の何れか一項に記載の円弧状のシールをディスク状の前記記録媒体に貼り付けるための貼付キットであって、
短冊状の透明な台紙と、
前記台紙に前記暗号鍵が記録されている一面で貼り付けられており、かつ他面が前記記録媒体との貼付面である前記円弧状のシールと、
前記貼付面を保護するための保護シートと、
前記記録媒体に設けられたセンターホールと同径である中心合わせ用の台紙穴と、
前記複数枚のシール夫々の貼付角度を調整するために前記台紙穴の周囲に設けられた角度マークと
を備えることを特徴とする貼付キット。
【請求項１４】
請求の範囲第１項から第１２項のうち何れか一項に記載の記録媒体に対してデータを記録するための記録装置であって、
前記記録媒体に貼り付けられたシールに記録されている暗号鍵を電磁光学的に読み取る読取手段と、
該読み取られた暗号鍵に少なくとも基づいて記録対象データを暗号化する暗号化手段と、
該暗号化された記録対象データを前記記録媒体の記録領域に記録する記録手段と
を備えることを特徴とする記録装置。
【請求項１５】
請求の範囲第１項から第１２項のうち何れか一項に記載の記録媒体に記録された暗号化データを再生するための再生装置であって、
前記記録媒体に貼り付けられたシールに記録されている暗号鍵および前記記録された暗号化データを夫々電磁光学的に読み取る読取手段と、
該読み取られた暗号鍵に少なくとも基づいて、前記読み取られた暗号化データを復号化する復号化手段と
を備えることを特徴とする再生装置。
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
少なくとも暗号鍵が電磁光学的に読み取り可能な状態で予め記録されており、かつ、記録媒体の所定位置に貼り付けられたシールと、
前記記録された暗号鍵に少なくとも基づいて暗号化された暗号化データを含むデータを電磁光学的に読み取り可能な状態で記録するための記録領域と
を備えることを特徴とする記録媒体。
【請求項２】
当該記録媒体はディスク状であり、
前記シールはリング状又は該リングの一部である円弧状であり、
前記シールに係るリングの中心は前記ディスク状の記録媒体の中心と一致し、
前記シールに係るリングの外径は前記ディスク状の記録媒体の半径よりも小さい
ことを特徴とする請求項１に記載の記録媒体。
【請求項３】
前記貼り付けられたシールは、
当該シールの読み取り開始位置を示すスタート検出部と、
後続する情報の読み取りタイミングの同期をとるためのタイミング同期部と、
当該記録媒体の円周方向における当該シールの基準位置を示す基準位置部と、
前記暗号鍵とを
読み取り方向に沿って上記順序に含んでなる
ことを特徴とする請求項２に記載の記録媒体。
【請求項４】
前記ディスク状の記録媒体は、前記貼り付けられたシールの貼り付け位置の正否を判定するための基準となる角度管理用のマークが記録される角度管理領域を更に備え、
前記基準位置部及び前記ディスク状の記録媒体の中心を結んでなる直線と、前記角度管理用のマーク及び前記ディスク状の記録媒体の中心を結んでなる直線とが、相互に所定角度をなすように、前記角度管理領域に前記角度管理用のマークが記録される
ことを特徴とする請求項３に記載の記録媒体。
【請求項５】
前記所定角度は、前記角度管理用のマークが記録される際に、記録媒体固有の情報に少なくとも基づいて導出される
ことを特徴とする請求項４に記載の記録媒体。
【請求項６】
前記貼り付けられたシールは、
前記貼り付けられたシールの一部である本体部と、
前記貼り付けられたシールの他の部分である分離部と
を有し、
前記貼り付けられたシールが剥がされる際に、前記本体部及び前記分離部が相互に分離する
ことを特徴とする請求項１に記載の記録媒体。
【請求項７】
前記ディスク状の記録媒体において前記記録領域もリング状であり、
前記リング状の記録領域の中心は前記ディスク状の記録媒体の中心と一致し、
当該記録媒体は、記録又は再生の際に必要となる固有情報が記録された情報領域を前記貼り付けられたシールの内側に更に備える
ことを特徴とする請求項２に記載の記録媒体。
【請求項８】
前記シールに係るリングの内径は前記リング状の記録領域の内径よりも小さい
ことを特徴とする請求項７に記載の記録媒体。
【請求項９】
前記シールに係るリングの内径は前記リング状の記録領域の内径よりも大きく、
前記シールに係るリングの外径は前記リング状の記録領域の外径よりも小さい
ことを特徴とする請求項７に記載の記録媒体。
【請求項１０】
前記シールが円弧状の場合には、該円弧状のシール複数枚が、前記ディスク状の記録媒体の同一半径位置に、夫々配置される
ことを特徴とする請求項２に記載の記録媒体。
【請求項１１】
前記暗号鍵は、前記円弧状のシール複数枚のうち何れか1枚に記録されている
ことを特徴とする請求項１０に記載の記録媒体。
【請求項１２】
前記暗号鍵は、前記円弧状のシール複数枚の各々に分割して記録されている
ことを特徴とする請求項１０に記載の記録媒体。
【請求項１３】
請求項１０から１２の何れか一項に記載の円弧状のシールをディスク状の前記記録媒体に貼り付けるための貼付キットであって、
短冊状の透明な台紙と、
前記台紙に前記暗号鍵が記録されている一面で貼り付けられており、かつ他面が前記記録媒体との貼付面である前記円弧状のシールと、
前記貼付面を保護するための保護シートと、
前記記録媒体に設けられたセンターホールと同径である中心合わせ用の台紙穴と、
前記複数枚のシール夫々の貼付角度を調整するために前記台紙穴の周囲に設けられた角度マークと
を備えることを特徴とする貼付キット。
【請求項１４】
請求項１から１２のうち何れか一項に記載の記録媒体に対してデータを記録するための記録装置であって、
前記記録媒体に貼り付けられたシールに記録されている暗号鍵を電磁光学的に読み取る読取手段と、
該読み取られた暗号鍵に少なくとも基づいて記録対象データを暗号化する暗号化手段と、
該暗号化された記録対象データを前記記録媒体の記録領域に記録する記録手段と
を備えることを特徴とする記録装置。
【請求項１５】
請求項１から１２のうち何れか一項に記載の記録媒体に記録された暗号化データを再生するための再生装置であって、
前記記録媒体に貼り付けられたシールに記録されている暗号鍵および前記記録された暗号化データを夫々電磁光学的に読み取る読取手段と、
該読み取られた暗号鍵に少なくとも基づいて、前記読み取られた暗号化データを復号化する復号化手段と
を備えることを特徴とする再生装置。
【国際調査報告】
2008096420.tif 000025
2008096420.tif 000026
2008096420.tif 000027
2008096420.tif 000028